(57)【要約】【課題】水抜口及び吐水筒を底板シートに形成することができて、しかも使用後の吐水筒からの排水をプールを持ち上げることなく短時間内に行うことのできる水抜栓を備えた可撓性材料からなるプールを提供すること。【解決手段】底板シート１１の環状側壁部１２の近傍部分に形成した水抜口に、この水抜口の外側外周を取り囲んで環状側壁部１２に取付けるべく可撓性材料によって形成した吐水筒と、折り畳んだ吐水筒を外面側から覆うカバーとからなる水抜栓２０を形成して、水抜口の少なくとも一側に取り付けられて、空気の充填によって膨らませられる少なくとも１つの枕体３０を備えたこと。【選択図】図１
2007231566.tif 000002
【特許請求の範囲】
【請求項１】
可撓性材料によって形成した底板シートの周縁に、空気室を有したものとして可撓性材料によって形成した環状側壁部を一体化して、前記空気室に空気を充填することにより前記環状側壁部を立ち上げて内部に水収容部を形成するようにしたプールにおいて、
前記底板シートの前記環状側壁部の近傍部分に形成した水抜口に、この水抜口の外側外周を取り囲んで前記側壁部に取付けるべく可撓性材料によって形成した吐水筒と、折り畳んだ前記吐水筒を外面側から覆うカバーとからなる水抜栓を形成して、
前記水抜口の両側に、前記吐水筒を広げ得る空間を確保した状態で取り付けられて、空気の充填によって膨らませられる少なくとも２つの枕体を備えたことを特徴とする可撓性材料からなるプール。
【発明の詳細な説明】
【技術分野】
【０００１】
本発明は、家庭において幼児のために使用するプールに関し、特に、その略全体をビニール等の可撓性材料によって形成して、空気により膨らませて使用するプールに関するものである。
【背景技術】
【０００２】
ビニールにより形成された幼児用の従来プールは、底板シートの周縁に環状側壁部を溶着等の手段によって一体化したものであり、この環状側壁部内に空気室を形成したものである。また、この従来プールは、その空気室内に空気を充填することにより環状側壁部をある程度の剛性を有したものとして立ち上げ、この環状側壁部内に水収容部を形成するようにしたものである。そして、この従来プールの底板シートには、従来栓が設けてあり、この従来栓を開けて水収容部内に収容した水を抜くようにしたものである。
【０００３】
ところが、以上の従来栓は、庭の地面やコンクリート面上に置かれた底板シートに取付けたものであるから、その栓部を口部から外したとしても、水収容部内の水は殆ど抜けないか、抜けたとしても相当な時間がかかるものとなっている。何故なら、底板シートは水収容部内の水によって地面上にぴったりと押え付けられた状態になっており、その状態は栓部を外したとしても変化がないからである。
【０００４】
そうなると、この従来プールについて、その水収容部内の水を抜こうと思えば、底板シートの一部を持ち上げたり、この底板シートの下に何かを入れたりしなければならず、この従来プールの片付けは結構大変な作業となるのである。
【０００５】
そこで、本発明者は、特許文献１に示すような発明を行って上記問題の解決を図るようにしたのである。
【特許文献１】特開２００５−１１３４０６号公報、要約、図２〜図４
【発明の開示】
【発明が解決しようとする課題】
【０００６】
本発明者が提案している特許文献１の発明は、当該公報の図２〜図４を図５〜図７として示すように、
「可撓性材料によって形成した底板シートの周縁に、空気室を有したものとして可撓性材料によって形成した環状側壁部を一体化して、空気室に空気を充填することにより環状側壁部を立ち上げて内部に水収容部を形成するようにしたプールにおいて、
環状側壁部、またはこれと底板シートとの境界部分に水抜口を形成するとともに、この水抜口の外側外周を取り囲んで側壁部に取付けるべく可撓性材料によって形成した吐水筒と、折り畳んだ吐水筒を外面側から覆うカバーとからなる水抜栓を備えたことを特徴とする可撓性材料からなるプール」
であり、これにより、可撓性材料により形成した長所を十分生かすことができて、水抜きを簡単にかつ短時間内に行うことができるプールを簡単な構造によって提供することができたものである。
【０００７】
しかしながら、その後の発明者の検討によると、「環状側壁部、またはこれと底板シートとの境界部分に水抜口を形成する」ためには、図５に示すように、水抜栓の両側に位置する「環状側壁部」に「第２区画溶着部」を形成しなければならないため、製造工程が従来に比して増加し、コストが増大することが解ったのである。また、「環状側壁部、またはこれと底板シートとの境界部分に水抜口を形成する」と、水抜口からの排水を最後まで完全に行い辛く、どうしても排水の最終段階では、プール自体を持ち上げてやらないといけない場合が発生していたのである。
【０００８】
そこで、本発明者等は、本明細書の上記段落０００１で述べている従来のプールとそれ程コストが増大せず、しかも使用後の排水を、短時間内にかつ持ち上げ等の余分な作業を要することなく行えるようにするにはどうしたらよいか、について種々検討を重ねてきた結果、本発明を完成したのである。
【０００９】
すなわち、本発明の目的とするところは、水抜口及び吐水筒を底板シートに形成することができて、しかも使用後の吐水筒からの排水をプールを持ち上げることなく短時間内に行うことのできる水抜栓を備えた可撓性材料からなるプールを提供することにある。
【課題を解決するための手段】
【００１０】
以上の課題を解決するために、本発明の採った手段は、後述する最良形態の説明中で使用する符号を付して説明すると、
「可撓性材料によって形成した底板シート１１の周縁に、空気室１３を有したものとして可撓性材料によって形成した環状側壁部１２を一体化して、空気室１３に空気を充填することにより環状側壁部１２を立ち上げて内部に水収容部１４を形成するようにしたプール１０において、
底板シート１１の環状側壁部１２の近傍部分に形成した水抜口１５に、この水抜口１５の外側外周を取り囲んで環状側壁部１２に取付けるべく可撓性材料によって形成した吐水筒２１と、折り畳んだ吐水筒２１を外面側から覆うカバー２２とからなる水抜栓２０を形成して、
水抜口１５の少なくとも一側に取り付けられて、空気の充填によって膨らませられる少なくとも１つの枕体３０を備えたことを特徴とする可撓性材料からなるプール１０」
である。
【００１１】
すなわち、このプール１０は、図１にも示すように、ビニール等の可撓性材料によって形成した底板シート１１の周縁上に、同じく可撓性材料によって形成されて、内部に空気室１３を形成するようにした環状側壁部１２を一体化することにより、この環状側壁部１２の内側に水を張ることのできる水収容部１４を形成したもので、そのままであると従来プールと略同じであるが、後述する水抜栓２０及び枕体３０の構成が従来プールと全く異なっているものである。
【００１２】
また、このプール１０においては、水抜栓２０を取付けるために、まず、図１〜図３に示すように、従来プールと同様な方法によって環状側壁部１２側に空気室１３を区画するための加工を施すとともに、底板シート１１の環状側壁部１２の近傍部分に水抜口１５を形成する。なお、各空気室１３は、二枚の可撓性材料を部分的に溶着することにより形成されるものである。この水抜口１５は、環状側壁部１２の内側近傍に位置する底板シート１１に形成してあればよいものであるから、従来のプールと同様に、環状側壁部１２や底板シート１１に特別な加工を施す必要はない。
【００１３】
そして、このプール１０では、図１、図３及び図４に示すように、ビニール等の可撓性材料によって形成した２個の枕体３０を、水抜口１５の両側に位置する底板シート１１の裏面に取り付けた留め具１６に、当該各枕体３０の留め具３１を利用して固定している。この場合、各枕体３０は、後述する吐水筒２０を広げ得る空間を確保した状態で取り付けられ、かつ空気の充填によって膨らませられるものである。
【００１４】
さて、水抜栓２０は、ビニール等の可撓性材料によって形成した吐水筒２１と、この吐水筒２１を図３に示すような状態で丸めて環状側壁部１２側に格納しておくためのカバー２２とを備えているものである。
【００１５】
吐水筒２１は、その端部を水抜口１５の外周を囲むようにしながら底板シート１１に溶着したものであり、可撓性材料によって形成したことから、図３に示す丸めと、図４に示した展開とが自在に行えるものである。なお、この吐水筒２１は、その略中央を細くしたものであり、これにより、両端を手でつまんで丸めるときの作業をし易くしている。
【００１６】
カバー２２は、丸められた吐水筒２１を、図３に示すように、底板シート１１の裏面にて邪魔にならないように、また水収容部１４内に収容した水が外に出てしまわないように格納しておくためのものであり、その格納状態を維持するためのホックが、当該カバー２２の先端裏側に取付けてある。
【００１７】
各枕体３０は、二枚の可撓性材料を、例えば図２に示すような形状に裁断しておいて、その内の一方に、図２に示すような留め具３１や空気栓３２を溶着しておき、外周縁にて溶着することにより形成したものである。つまり、各枕体３０は、その留め具３１にて底板シート１１側の留め具１６に取り付けられるのであり、その空気栓３２から空気が充填されることにより、図１等に示すような形状のものに膨らませられるものである。
【００１８】
この枕体３０は、少なくとも１つ必要であるが、その理由は、カバー２２の外しや吐出筒２１の展開を簡単に行えるようにするためである。つまり、プール１０の底板シート１１であって、空気栓３２が設けてある部分が、少なくとも１つの枕体３０によって少し浮き上がらせた状態に保持されていれば、カバー２２を外すために手を簡単に入れることができるだけでなく、吐出筒２１の展開が無理なく行えることになるからである。その意味では、これらの枕体３０は、水抜口１５の両側に、吐水筒２０を広げ得る空間を確保した状態で２つ取り付けられているのが最も好ましいものである。
【００１９】
これらの各枕体３０の使用タイミングとしては、次のようにするのが最も効果的である。つまり、空気室１３内に空気を充填する前に、各枕体３０内に空気を充填して膨らませておき、これを底板シート１１の裏面に設けてある留め具１６に、留め具３１を利用して取り付ける。その後に、これらの枕体３０が下になるようにしてプール１０全体を広げてから環状側壁部１２内の空気室１３に空気を充填して環状側壁部１２を立ち上げて、図１に示すような状態にする。
【００２０】
そこで、このプール１０の水収容部１４内に水を入れれば、このプール１０は、幼児用のプールとしての機能を発揮することになるが、そのときに、プール１０の底板シート１１であって、空気栓３２が設けてある部分は、少なくとも１つの枕体３０によって少し浮き上がらせた状態に保持されている。これらの枕体３０や、丸められた空気栓３２の分が少し水収容部１４内に突出することになるが、各枕体３０は空気によって膨らんだものであって柔らかいものであり、空気栓３２は小さくなっているから、当該水収容部１４内での水遊びに支障をきたすことはない。
【００２１】
そして、水収容部１４内に水を入れたとき、水抜栓２０を構成している吐水筒２１の環状端部内には、水収容部１４内の水圧が加わる。しかしながら、この吐水筒２１は、カバー２２により丸めて格納してあるから水圧によって広がることはなく、この吐水筒２１が展開して水収容部１４内の水を外に排出することはない。
【００２２】
このプール１０の使用が済めば、カバー２２を外し、吐水筒２１を、図４に示すように広げれば、水収容部１４内の水はこの吐水筒２１を通して外部に排出されるのである。このとき、プール１０の底板シート１１であって、空気栓３２が設けてある部分は、少なくとも１つの枕体３０によって少し浮き上がらせた状態に保持されているから、カバー２２を外すために手を簡単に入れることができる。つまり、カバー２２の外しが簡単に行えるのである。
【００２３】
さらに、プール１０の底板シート１１であって、空気栓３２が設けてある部分は、少なくとも１つの枕体３０によって少し浮き上がらせた状態に保持されているし、水抜口１５の中央部側部分は、図４に示したように、当該プール１０を設置した地面上にて開口しているから、水収容部１４内の水圧はそのまま吐水筒２１に掛り、図４中の矢印に示すように、水収容部１４内の水は、底板シート１１を持ち上げたりプール１０を傾斜させたりしなくても円滑に外部に排出される。
【００２４】
本発明者等の実験によると、同じ大きさのプールである場合に、従来プールは、底板シートの下側に物を入れたり全体を持ち上げたりして、約３０分以上掛かって水の排出がようやく行えたのに対し、本発明のプール１０では、何も手を加えないでも約５分程度で水収容部１４内の水の排出は完了した。
【００２５】
従って、本発明に係るプール１０は、可撓性材料により形成した長所を十分生かすことができて、水抜口１５及び吐水筒２１を底板シート１１に形成することができ、しかも使用後の吐水筒２１からの排水を当該プール１０を持ち上げることなく短時間内に行うことができるものとなっているのである。
【発明の効果】
【００２６】
以上の通り、本発明にあっては、
「可撓性材料によって形成した底板シート１１の周縁に、空気室１３を有したものとして可撓性材料によって形成した環状側壁部１２を一体化して、空気室１３に空気を充填することにより環状側壁部１２を立ち上げて内部に水収容部１４を形成するようにしたプール１０において、
底板シート１１の環状側壁部１２の近傍部分に形成した水抜口１５に、この水抜口１５の外側外周を取り囲んで環状側壁部１２に取付けるべく可撓性材料によって形成した吐水筒２１と、折り畳んだ吐水筒２１を外面側から覆うカバー２２とからなる水抜栓２０を形成して、
水抜口１５の少なくとも一側に取り付けられて、空気の充填によって膨らませられる少なくとも１つの枕体３０を備えたこと」
にその構成上の特徴があり、これにより、
水抜口１５及び吐水筒２１を底板シート１１に形成することができて、しかも使用後の吐水筒２１からの排水を当該プール１０を持ち上げることなく短時間内に行うことができる可撓性材料からなるプール１０を提供することができるのである。
【発明を実施するための最良の形態】
【００２７】
次に、以上のように構成した本発明を、図面に示した最良の形態であるプール１０について説明すると、次の通りである。
【００２８】
図１には、本発明に係るプール１０の斜視図が示してある。このプール１０は、その各空気室１３内に空気を充填して立ち上げた環状側壁部１２を底板シート１１の周縁に溶着によって一体化したものであり、底板シート１１の裏側には空気を入れて膨らませた２個の枕体３０が取り付けてある。つまり、このプール１０を構成している底板シート１１、環状側壁部１２、後述する水抜栓２０及び各枕体３０の全てについて、ビニール等の可撓性材料により形成したものであり、各部の接合は、これらの可撓性材料を、熱または高周波ウエルドによる溶着により行っているものである。
【００２９】
そして、環状側壁部１２については二枚の可撓性材料を重ねて溶着することにより、従来プールにおける各空気室のような空気室１３を形成しているものである。本最良形態では、この空気室１３を１つとしているるが、この空気室１３を複数形成することにより、１つの空気室１３に穴が開いたとしても他の空気室１３で持ち応えられるようにして実施してもよい。
【００３０】
また、このプール１０の底板シート１１の、環状側壁部１２の内側近傍になる部分には、水抜口１５の形成と後述する水抜栓２０の取付け（実際は吐水筒２１やカバー２２の溶着）を行っているのである。この水抜口１５の両側に位置する底板シート１１の裏面には、図２にも示したように、後述する吐水筒２０を広げ得る空間を確保した状態で各枕体３０を取り付けられるようにする留め具１６が設けてある。本最良形態の留め具１６としては、所謂「ホック」を使用しているが、面ファスナーを使用してもよい。
【００３１】
以上の水抜口１５の形状は種々考えられるが、本最良形態では、基本的には楕円としてあり、かつ、その長軸がプール１０の内外方向となるようにしたものである。この水抜口１５は、当然プール１０の水収容部１４内に張った水を排出するためのものであり、その排出時にはその一部が設置場所である地面上にあり、かつ他方部分が地面より浮き上がっていると、水の自然な流れを利用して排水効果を高めることができるからである。
【００３２】
なお、本最良形態に係るプール１０では、図１に示したように、環状側壁部１２に上から係合されるスベリ台１７や日除け１８を備え付けることができるものとしてある。これらのスベリ台１７や日除け１８も可撓性材料を使用して空気を入れて膨らませるものであり、環状側壁部１２の上端に係合できるアーム部を有したものである。なお、日除け１８のプール１０内側部分には、水道水を放出するシャワーノズル口１８ａが設けてある。
【００３３】
さて、水抜栓２０であるが、基本的にはビニール等の可撓性材料を裁断及び溶着して形成したものであり、図３及び図４に示したように、水を排出するための筒状にした吐水筒２１と、この吐水筒２１を丸めて環状側壁部１２の外側に格納しておくためのカバー２２とからなっている。
【００３４】
吐水筒２１は、単純には、二枚の可撓性材料を重ねておいて、水抜口１５側及びこれとは反対側を開口状態にした溶着を行えば、でき上がりとなるものである。本最良形態の吐水筒２１では、その吐出側開口端の近傍に補強材を収納して溶着部により包み込むことにより、この補強材が吐水筒２１の先端に位置するようにしてある。また、この吐水筒２１では、その補強材側先端部が幅広となるようにしてあるが、これは、補強材を中心にして吐水筒２１全体を図３に示したように丸める作業を簡単に行えるようにするためである。
【００３５】
なお、本最良形態の吐水筒２１にあっては、補強材の外側開口端の内面側にファスナーがそれぞれ形成してある。このファスナーは、吐水筒２１の先端開口をしっかりと閉じるためのものであり、図３に示したように丸めてカバー２２により覆ったときに、プール１０側の水収容部１４内に水を張ったときに、水洩れが全くないようにするためのものであり、吐水筒２１を丸めるときのズレを防止するものでもある。
【００３６】
カバー２２は、図３に示したような丸めを行った吐水筒２１を覆うものであり、その自由端の内側に設けたホックを、環状側壁部１２の外側に取付けておいた側壁ホックに係止させることにより、丸めた吐水筒２１全体の格納を、図２に示したように行うものである。
【００３７】
なお、本最良形態の吐水筒２１及びカバー２２は、透明な可撓性材料によって形成したものであり、その丸め状態や格納状態が正しい位置にあるかの確認を外から容易にできるようにしてある。
【００３８】
各枕体３０は、二枚の可撓性材料を、例えば図２に示したような形状に裁断しておいて、その内の一方に、図２に示すような留め具３１や空気栓３２を溶着しておき、外周縁にて溶着することにより形成したものである。
【００３９】
また、各枕体３０は、その留め具３１にて底板シート１１側の留め具１６に取り付けられるのであり、その空気栓３２から空気を充填することにより、図１等に示したような形状のものに膨らませられるものである。勿論、この最良形態における留め具３１は、プール１０側の留め具１６に係合できるホックとしてあるが、これに変えて留め具１６に合った面ファスナーとして実施してもよい。
【図面の簡単な説明】
【００４０】
【図１】本発明に係るプールの展開状態を示す斜視図である。
【図２】同プールにおいて使用している枕体の拡大平面図である。
【図３】図１中の１−１線に沿ってみた水抜栓の丸め状態を示す部分拡大縦断面図である。
【図４】図１中の１−１線に沿ってみた水抜栓の全展開状態、つまり排水状態を示す部分拡大縦断面図である。
【図５】従来プールの部分正面図である。
【図６】図５に示した従来プールの２−２線に沿ってみた部分拡大断面図である。
【図７】従来プールにおける水抜栓を全開にしたときの部分拡大断面図である。
【符号の説明】
【００４１】
１０    プール
１１    底板シート
１２    環状側壁部
１３    空気室
１４    水収容部
１５    水抜口
１６    留め具
１７    スベリ台
１８    日除け
１８ａ  シャワーノズル口
２０    水抜栓
２１    吐水筒
２２    カバー
３０    枕体
３１    留め具
３２    空気栓
【図１】
2007231566.tif 000003
【図２】
2007231566.tif 000004
【図３】
2007231566.tif 000005
【図４】
2007231566.tif 000006
【図５】
2007231566.tif 000007
【図６】
2007231566.tif 000008
【図７】
2007231566.tif 000009